(57)【特許請求の範囲】
【請求項１】
フィードバック式言語学習システムであって、
（ａ）少なくとも一つの学習データを保存する言語学習データベースと、
（ｂ）前記言語学習データベースと接続され、クライアントの前記言語学習データベースの学習履歴データを保存するサーバと、
（ｃ）前記サーバと接続され、クライアントの学習履歴データを受信し、学習履歴データをレベルごとに分け、前記サーバに保存する学習単元モジュールと、
（ｄ）前記学習単元モジュールと接続され、クライアントに提供する前記レベルの学習データをフィルタリングするフィルタリングモジュールと、
（ｅ）サーバが保存した学習履歴データに基づいて、クライアントに奨励方式を自動的に提供するフィードバックモジュールと、
を含むことを特徴とするフィードバック式言語学習システム。
【請求項２】
前記クライアントはインターネットを介して前記サーバ及び学習プラットフォームと接続され、前記プラットフォームは学習目標及び／或いは学習時間を設定することが可能であることを特徴とする請求項１記載のフィードバック式言語学習システム。
【請求項３】
前記言語学習データベースは前記学習データを定期的に更新することを特徴とする請求項１記載のフィードバック式言語学習システム。
【請求項４】
前記学習プラットフォームは、
（ａ）前記言語学習データベースの学習データ及び／或いは学習履歴を管理、統合する言語データベース管理モジュールと、
（ｂ）クライアントの個人情報及び／或いは学習履歴データを管理、統合するクライアント管理モジュールと、
（ｃ）広告エリアを備え、業者の広告商品を管理、統合する広告管理モジュールと、
を有することを特徴とする請求項２記載のフィードバック式言語学習システム。
【請求項５】
前記言語データベース管理モジュールの学習データは、少なくとも一つの基礎英語データ及び少なくとも一つの専門英語データを含むことを特徴とする請求項４記載のフィードバック式言語学習システム。
【請求項６】
前記クライアント管理モジュールは更に、グループデータ管理モジュール及び言語学習活動管理モジュールを有することを特徴とする請求項４記載のフィードバック式言語学習システム。
【請求項７】
前記広告管理モジュールの管理及び統合モードは、レイアウト、価格設定、期間、フィードバック設定及び効果報告書を含むことを特徴とする請求項４記載のフィードバック式言語学習システム。
【請求項８】
更にクラウド管理モジュールを有し、前記クラウド管理モジュールは前記サーバ及び／或いは前記学習プラットフォームの学習データ或いは学習履歴データを転送、受信或いは保存することが可能であることを特徴とする請求項２記載のフィードバック式言語学習システム。
【請求項９】
前記学習プラットフォームはデスクトップパソコン、ノートパソコン、携帯電話或いはＰＤＡ上で実行することが可能であることを特徴とする請求項２記載のフィードバック式言語学習システム。
【発明の詳細な説明】
【技術分野】
【０００１】
本発明は、フィードバック式言語学習方法及びそのシステムに関する。
【背景技術】
【０００２】
外国語を学習する際、一般的には辞書や単語帳、文法書等の「書籍」を使って勉強することが多い。しかし、エコが提唱されている今、書籍は紙資源の消費による環境破壊の主な原因として見られている。また、学習内容が「書籍」に書かれている内容に限定されてしまい、更新或いは調整することができない。更には、「書籍」は持ち運びに不便なため、学習効率に影響を及ぼす。
【０００３】
そこで、現在様々な言語学習機械が販売されるようになったが、現在市販されているものは、その多くが学習内容不足だったり、特定の方法或いはホームページで内容を更新する必要があるため、使用者にとって便利なものではない。台湾特許出願第９７１３１０４７号には、学習状況に基づいて動的に学習データをダウンロードするデジタル学習システム及びその方法が記載されている。前記システム及び方法は使用者の学習状況に基づいて学習データをダウンロードするが、言語を学習する際には、学習状況は自身の趣味、環境或いはモチベーションによって変わってくるため、いかにして使用者の言語学習に対するモチベーションを維持させるかが、目下の課題である。
【発明の概要】
【発明が解決しようとする課題】
【０００４】
名詞の説明：
言語学習データベース：各種言語データ或いは各種専門分野の言語データを含む。クライアントの学習或いは使用のために提供される。
学習単元モジュール：異なるレベルの学習データをクライアントへ提供及び／或いはフィルタリングする。
フィードバックモジュール：クライアントが一つのレベルの学習内容を修了すると、ポイント、割引券、特売品等（これに限定されない）を提供し、クライアントの学習意欲を高める。クライアントの学習量に関係なく、一つのレベルを完成させるだけでフィードバックが得られる。
【課題を解決するための手段】
【０００５】
従来の使用者が使用している言語学習ツール及び方法の欠点を解決するため、本発明は、フィードバック式言語学習方法及びそのシステムを提供する。本発明のフィードバック式言語学習方法及びそのシステムは以下のステップを含む。
（ａ）少なくとも一つの学習データを言語学習データベースに保存するステップ
（ｂ）サーバとクライアントをインターネットで接続するステップ
（ｃ）前記クライアントが前記言語学習データベースを使用した学習履歴データを保存するステップ
（ｄ）前記クライアントの前記学習履歴データを受け取り、前記学習履歴データを異なるレベルに分けて前記サーバに保存するステップ
（ｅ）分けた前記レベルをフィルタリングした学習データを前記クライアントに学習させるステップ
（ｆ）前記サーバが保存している学習履歴データに基づいて、前記クライアントに奨励方式を自動的に提供するステップ
【０００６】
本発明の前記言語学習データベースは、少なくとも一つの基礎英語データと、少なくとも一つの専門英語データと、を有する。前記言語学習データベースは前記学習データを定期的に更新する。
【０００７】
本発明の学習プラットフォームは更に、言語データベース管理モジュールと、クライアント管理モジュール及び／或いは広告管理モジュールと、を有する。前記言語データベース管理モジュールは、前記言語学習データベースの学習データを管理、統合する。前記クライアント管理モジュールは更に、グループデータ管理モジュールと、言語学習活動管理モジュールと、を有する。前記クライアント管理モジュールは、クライアントの個人情報及び学習履歴データを管理、統合する。前記広告管理モジュールは広告エリアを設置し、業者広告商品のモードを管理、統合する。
【０００８】
本発明の前記クライアントは更に、前記インターネットを介して学習プラットフォームに接続し、前記学習プラットフォームで学習目標及び学習時間を設定することが可能であるが、これに限定されない。前記サーバ及び／或いは前記学習プラットフォームは更に、クラウド管理モジュールによって学習データ或いは学習履歴データを転送、受信或いは保存することが可能である。本発明の前記学習プラットフォームはデスクトップパソコン、ノートパソコン、携帯電話、ＰＤＡ上で実行することが可能である。
【０００９】
本発明は更に、フィードバック式言語学習システムを提供する。本発明のフィードバック式言語学習システムは、
（ａ）少なくとも一つの学習データを保存し、前記学習データを定期的に更新する言語学習データベースと、
（ｂ）前記言語学習データベースと接続され、クライアントが前記言語学習データベースを使用した学習履歴データを保存するサーバと、
（ｃ）前記サーバと接続され、クライアントの学習履歴データを受信し、学習履歴データをレベルごとに分け、前記サーバに保存する学習単元モジュールと、
（ｄ）前記学習単元モジュールと接続され、前記レベルの学習データをクライアントに学習させるためにフィルタリングするフィルタリングモジュールと、
（ｅ）サーバが保存した学習履歴データに基づいて、クライアントに奨励方式を自動的に提供するフィードバックモジュールと、
を有する。
【００１０】
本発明の前記言語学習データベースは前記学習データを定期的に更新することが可能である。
【００１１】
本発明の前記クライアントはインターネットを介して前記サーバ及び学習プラットフォームと接続し、前記学習プラットフォームで学習目標及び学習時間を設定することが可能であるが、これに限定されない。
【００１２】
本発明の学習プラットフォームは、
（ａ）前記言語学習データベースの学習データ及び／或いは学習履歴を管理、統合する言語データベース管理モジュールと、
（ｂ）クライアントの個人情報及び／或いは学習履歴データを管理、統合するクライアント管理モジュールと、
（ｃ）広告エリアを備え、業者の広告商品を管理、統合する広告管理モジュールと、
を有する。
【００１３】
本発明の前記言語データベース管理モジュールの学習データは、少なくとも一つの基礎英語データと、少なくとも一つの専門英語データと、を含む。前記クライアント管理モジュールは更に、グループデータ管理モジュールと、言語学習活動管理モジュールと、を含む。前記広告管理モジュールの管理及び統合モードは、レイアウト、価格設定、期間、フィードバック設定及び効果報告書を含む。
【００１４】
本発明のフィードバック式言語学習システムは更に、前記サーバ及び／或いは前記学習プラットフォームの学習データ或いは学習履歴データを転送、受信或いは保存するクラウド管理モジュールを有する。本発明の前記学習プラットフォームはデスクトップパソコン、ノートパソコン、携帯電話或いはＰＤＡ上で実行することが可能である。
【図面の簡単な説明】
【００１５】
【図１】本発明のシステムの実施例を示すブロック図である。
【図２】本発明の学習プラットフォームのシステムを示すブロック図である。
【図３】本発明の異なる実施例を示すブロック図である。
【発明を実施するための形態】
【００１６】
学習データを保存する言語学習データベース１１０を有する。前記学習データベースはインターネットを介してサーバ１２０に接続されており、学習データを定期的に更新することが可能である。前記サーバは言語学習データベース１１０と接続されており、クライアント１１２が前記言語学習データベースを使用した学習履歴データを保存することが可能である。前記サーバがクライアントの学習履歴データを受信した後、学習単元モジュール１３０は学習履歴データを異なるレベルへ分類し、サーバ１２０に保存する。そしてフィルタリングモジュール１４０が前記レベルの学習データをフィルタリングし、クライアントに学習するよう提供する。クライアントが一部の学習データを習得した際に、フィードバックモジュール１５０はクライアント１１２に異なる奨励方式を提供する。これにより、クライアントは本発明のシステムを使用することで学習のモチベーションを高く維持することが可能である。
【００１７】
図２に、本発明の学習プラットフォームのシステムを表すブロック図を示す。本発明のシステムは、学習プラットフォーム１１３を有する。学習プラットフォーム１１３はクライアント１１２が学習目標或いは学習時間を設定することが可能であるが、これに限定しない。本発明は更に、クラウド管理モジュール１１４を有する。クラウド管理モジュール１１４は、前記サーバ及び／或いは学習プラットフォームの学習データ或いは学習履歴データを転送、受信或いは保存することが可能である。
【００１８】
本発明の学習プラットフォームは更に、言語データベース管理システム１１５と、クライアント管理モジュール１１６と、広告管理モジュール１１７と、を有する。前記学習プラットフォームはクライアントに、学習データベースの学習データや、個人情報或いは学習履歴等の管理、統合等の異なる機能を提供する。また、業者に広告エリアを提供し、クライアント或いは業者に広告商品を管理或いは統合させることが可能である。
【００１９】
本発明の学習プラットフォーム１１３は更に、デスクトップパソコン１１８、ノートパソコン１１９、携帯電話１２０或いはＰＤＡ上で実行することが可能である。これにより、クライアントは場所に制限されることなく学習を行うことができ、学習効果の向上に繋がる。
【００２０】
図３に、本発明の異なる実施例を表すブロック図を示す。クライアントは本発明のシステム１０を使用した後、学習プラットフォーム１１３を介して学習グループ１２１に参加することが可能である。或いは、クライアント学習レベル、居住地域、学習目標等でグループ分けをすることも可能である。学習グループ１２１に参加し、競争をしたり、フィードバックモジュール１５０によって奨励を与えたりする等、クライアントの学習モチベーションを高める効果がある。
【００２１】
上述において、本発明の説明の利便性のために最良の実施例を挙げて説明したが、これらの実施例は本発明の請求の範囲を限定するものではなく、本発明に基づく本発明の要旨を逸脱しないあらゆる変更は全て本発明の特許請求の範囲に含まれる。
【符号の説明】
【００２２】
１０        本発明のシステム
１１０      言語学習データベース
１３０      学習単元モジュール
１４０      フィルタリングモジュール
１５０      フィードバックモジュール
１１２      クライアント
１１３      学習プラットフォーム
１１４      クラウド管理モジュール
１１５      言語データベース管理モジュール
１１６      クライアント管理モジュール
１１７      広告管理モジュール
１１８      デスクトップパソコン
１１９      ノートパソコン
１２０      携帯電話
１２１      学習グループ
【図１】
0005689430.tif 000002
【図２】
0005689430.tif 000003
【図３】
0005689430.tif 000004